【事件の表示】
　特願２００２−３６２４０９「建築板」拒絶査定不服審判事件〔平成１６年　７月　８日出願公開、特開２００４−１９０４３６〕について、次のとおり審決する。
【結　論】
　本件審判の請求は、成り立たない。
【理　由】
１．手続の経緯・本願発明 
　本願は、平成１４年１２月１３日に出願されたものであり、その請求項２に係る発明は、平成１７年５月１９日付け手続補正書の記載からみて、その特許請求の範囲の請求項２に記載された事項により特定される次のとおりのものである。
「【特許請求の範囲】
【請求項２】　縦横目地溝によって区画された凸ブロックの複数個を縦横に配列したブロック調模様を有する建築板であって、表面に多数の筋状凹部模様が右上り斜め方向に形成されているブロックと、表面に多数の筋状凹部模様が左上り斜め方向に形成されているブロックと、表面に多数の筋状凹部模様が右上り斜めと左上り斜めとの二方向で形成されているブロックがランダムに縦横に配列されていることを特徴とする建築板」
（以下、請求項２に係る発明を「本願発明」という。）
（請求項１は省略）
　
２．引用例
　原査定の拒絶の理由に引用され、本願の出願前に頒布された刊行物である特開平７−１０２７２３号公報（以下、引用例１という。）には、次の（イ）ないし（カ）の事項が記載されている。
（イ）「家屋の外壁面を形成しうる外装板であって、前記外壁面となる一面に、同じ向きに傾きかつ傾斜角度が変化する複数の凹溝又は凸条からなる模様縞が設けられしかも輪郭線により囲まれる模様区域が上下に多段に設けられたことを特徴とする外装板。」（【特許請求の範囲】【請求項１】）
（ロ）「前記一面は、上下の前記模様区域の間に、水平方向にのびかつ平坦面からなるフラット区域が形成されるとともに、水平方向に隣り合う前記模様区域は、前記模様縞の向きが垂線に対して互いに逆に傾くことを特徴とする請求項１記載の外装板。」（【特許請求の範囲】【請求項２】）
（ハ）「【産業上の利用分野】
　本発明は、照射角度が時間帯により変化する例えば太陽光であっても、少なくとも外壁面の一部に常に陰影を形成でき、家屋外壁の見映えを向上しうる外装板に関する。」（段落【０００１】）
（ニ）「本発明は、同じ向きに傾きかつ傾斜角度が変化する模様縞を設けた模様区域を上下に多段に形成することを基本として、照射角度が変化する太陽光に対して、時間帯によって異なる陰影を常に形成でき、家屋外壁の見映えを向上しうる外装板の提供を目的としている。」（段落【０００４】）
（ホ）「【課題を解決するための手段】　
　本発明は、家屋の外壁面を形成しうる外装板であって、前記外壁面となる一面に、同じ向きに傾きかつ傾斜角度が変化する複数の凹溝又は凸条からなる模様縞が設けられしかも輪郭線により囲まれる模様区域が上下に多段に設けられている。」（段落【０００５】）
（ヘ）「【作用】
　外装板の一面に設けた模様区域の凹溝又は凸条からなる模様縞によって、例えば太陽光の照射により陰影を形成できる。しかも前記凹溝又は凸条は、同じ向きに傾きかつ傾斜角度が変化するため、太陽光の照射角度が日の出から日没まで変化しても、少なくとも外壁面の一部に常に陰影を形成でき、視覚的なインパクトを高め、家屋外壁の見映えを向上しうる。」（段落【０００７】）
（ト）「又上下の模様区域の間に、水平方向にのびかつ平坦面からなるフラット区域を形成することによって、外壁面に横に同一外観で続く帯状部を形成でき、模様区域による視覚的な錯覚を防止し、家屋外壁の見映えの安定感を付与しうる。」（段落【０００８】）
（チ）「さらに水平方向に隣り合う模様区域の各模様縞の向きを、垂線に対して互いに逆に傾けることによって、時間帯により変化する太陽光の照射角度に対して、いわゆる市松模様を形成することも可能となる他、陰影の外壁面全面に亘る消滅も完全に除去でき、見映えを一層高めうる。」（段落【０００９】）
（リ）「外装板１は、本実施例では、プレスによって模様付けされるセメント板からなり、その外壁面Ｗをなす一面に、垂直な縦溝２３と水平な横溝２４とを適宜の間隔を隔てて凹設している。」（段落【００１６】）
（ヌ）「又水平方向に隣り合う前記縦溝２３、２３と上下に隣り合う前記横溝２４、２４とによって囲まれる多数の矩形域２６…は、模様区域Ａを設けた矩形域２６Ａ…と、この矩形域２６Ａよりも高さが小さい矩形域２６Ｂ…とを含む。」（段落【００１７】）
（ル）「前記矩形域２６Ａには、その水平な上辺、下辺近傍に、縦溝２３、横溝２４の深さｄよりも小さい深さの上、下の水平溝２７Ａ、２７Ｂが凹設されるとともに、この上の水平溝２７Ａの下辺と下の水平溝２７Ｂの上辺と矩形域２６Ａの側辺とによって形成される輪郭線Ｌが囲む矩形の領域が前記模様区域Ａをなす。」（段落【００１８】）
（ヲ）「又前記模様区域Ａは、水平方向に並んで形成されるとともに、前記矩形域２６Ｂを挟んで模様区域Ａは上下に多段に設けられる。」（段落【００１９】）
（ワ）「なお水平方向に並ぶ矩形域２６Ｂ…、前記矩形域２６Ａの上の水平溝２７Ａの上方部２９Ａ、及び下の水平溝２７Ｂの下方部２９Ｂは、上下の模様区域Ａ、Ａの間で水平方向にのびる垂直な平坦面Ｆからなるフラット区域Ｂを形成する。」（段落【００２０】）
（カ）「さらに水平方向に隣り合う模様区域Ａ、Ａは、その模様縞Ｍ、Ｍの向きが垂線Ｃに対して互いに逆に、すなわち右上がり、左上がりに傾ける。このようにすることによって、照射角度が日の出から日没まで変化する太陽光であっても、一日中、常に陰影を形成することができ、家屋外壁の見映えを向上しうる。また水平方向に交互に模様縞Ｍの向きを逆に傾け、しかも本実施例では垂直方向に対しても交互に模様縞Ｍの向きを逆に傾けているため、陰影により外壁面Ｗにいわゆる市松模様を形成しうる。」（段落【００２６】）
（ヨ）「さらに本発明の外装板１において、前記模様区域Ａを前記縦溝２３、横溝２４を設けないで小巾の平坦面を介して上下、水平方向に隣り合わせることもでき、又模様区域Ａ…を該平坦面を介在させることなく線状の輪郭線の両側に連続的に形成してもよい。」（段落【００３２】）
（タ）図３には、ブロック調模様を有する外装板が図示されていると認められる。
　これらの記載からみて、引用例１には、「縦溝２３、横溝２４によって区画された矩形域２６の複数個を縦横に配列したブロック調模様を有する外装板であって、当該矩形域２６は、表面に同じ向きに傾きかつ傾斜角度が変化する複数の凹溝又は凸条からなる模様縞が設けられた模様区域Ａを有するものと、平坦面からなるフラット区域Ｂを有するものとで構成されるとともに、水平方向に隣り合う模様区域Ａ，Ａはその模様縞の向きが右上がりと左上がりに互いに逆に傾けられている外装板」の発明が記載されていると認められる。
　
　同じく、特開２００２−２３５４２３号公報（以下、引用例２という。）には、次の（レ）ないし（ツ）の事項が記載されている。
（ヨ）「薄板金属板にエンボス加工、またはプレス加工等の型押し加工を施すことにより、その化粧表面に模様を形設して成る壁材であって、該化粧表面に目地調模様によって囲むように、タイル張り調、レンガ張り調、ブロック積み調または石積み調等の模様を形成した凸部領域を配設し、この凸部領域の各単位表面に方向性を有する略平行凹凸縞模様を形設すると共に、該化粧表面に少なくとも４方向の略平行凹凸縞模様を形設した凸部領域単位を配設して成ることを特徴とする壁材。」（【特許請求の範囲】【請求項１】）
（タ）「【課題を解決するための手段】
　薄板金属板に、エンボス加工、プレス加工等の型押し加工を施し、目地調模様によって囲むように、例えばタイル張り調、レンガ張り調、ブロック積み調または石積み調模様として、その化粧表面に区画、配設された凸部領域において、本発明では、該凸部領域単位の表面に装飾模様を形設するが、その装飾模様を該凸部領域の下部稜線に対し、一凸部領域単位Ａに向かって右側から左下がりとする左斜縞を、他の凸部領域単位Ｂには同様に向かって左側から右下がりとする右斜縞を、凸部領域単位Ｃには平行縞、また他の凸部領域単位Ｄには垂直縞等を基本とする方向性を有する略平行な凹凸縞模様を各々形設し、この化粧表面に、その略平行な凹凸縞模様の方向が少なくとも４方向の凸部領域を配設した。」（段落【０００４】）
（ツ）「【実施例】
　・・・本発明の一実施例を図１〜図３に基づいて説明すると、薄板金属板の長尺方向と平行に上端となる一端縁に雄端縁１７、下端となる他端縁に雌端縁１８を形成した壁材本体１１とこの壁材本体１１の裏側と一体的に形成した樹脂発泡体１３と、その裏面に添設した裏面材１４とからなる壁材１０において、この壁材本体１１の化粧表面１２にエンボス加工またはプレス加工等の型押し加工により目地調模様１５によって囲まれるように、例えばタイル張り調、レンガ張り調、ブロック積み調、または石積み調模様として配設された凸部領域単位１６の表面に、この凸部領域１６の下部稜線１６ａに対し、略左斜縞調１６ｂ、略右斜縞調１６ｃ、略平行縞調１６ｄ、及び略垂直縞調１６ｅ等、少なくとも４方向の略平行縞を基調とする平行凹凸模様を有する凸部領域単位１６をランダムに配設したことにより、この凸部領域単位１６の光の反射の度合いにより、見る人に対して反射光が多くて輝いて見える反射面と反射光が少なくて暗く見える反射面及びそれらの中間に位置する反射面がランダムに凸部領域単位１６の色調や色の濃淡等が異なる装飾模様に見えるものであり、またこの色調が異なって見える装飾模様は、太陽光またはその他の光源の位置の変化、及び見る人の位置の変化によって、色調や色の濃淡が多様に変化する効果が生まれ、この薄板金属壁材の意匠性、装飾性及び外観良好性を高め、その商品価値を大幅に高めることができる効果がある。」（段落【０００６】）
　
３．対比・判断
　引用例１記載の発明と本願発明について対比・判断する。
　本願発明と引用例1記載の発明とを対比すると、引用例１記載の発明の「縦溝２３、横溝２４」、「矩形域２６」、「外装板」、「複数の凹溝又は凸条からなる模様縞」は、それぞれ本願発明の「縦横目地溝」、「凸ブロック」、「建築板」、「多数の筋状凹部模様」に相当する。
　また、引用例１記載の発明における外装板の模様縞も、多数の模様縞が右上り斜め方向に形成されている矩形域と、左上り斜め方向に形成されている矩形域とが縦横に配列されているものと認められる。
　よって両者は、
「縦横目地溝によって区画された凸ブロックの複数個を縦横に配列したブロック調模様を有する建築板であって、表面に多数の筋状凹部模様が右上り斜め方向に形成されているブロックと、表面に多数の筋状凹部模様が左上り斜め方向に形成されているブロックとが縦横に配列されていることを特徴とする建築板」である点で一致し、次の各点で相違する。
［相違点１］
　外装板に設けられる凸ブロックの模様に関して、本願発明では、他に「表面に多数の筋状凹部模様が右上り斜めと左上り斜めとの二方向で形成されているブロック」があるのに対し、引用例１記載の発明では、三種類のブロックを有しているものの、二方向の模様を組み合わせたブロックを備えていない点。
［相違点２］
　ブロックの配列態様に関して、本願発明では、三種類のブロックがランダムに縦横に配列されているのに対し、引用例１記載の発明では、そのような配列態様ではない点。
［相違点１の検討］
　上記相違点１を検討すると、例えば、実願昭５１−９３２４５号（実開昭５３−１１８１８号公報）のマイクロフイルム（その第１図（ｂ）には、縦横の溝が二方向で形成されているタイル（本願発明の「凸ブロック」に相当。）が図示されている。）に示されるように、表面に二方向の模様が形成されているブロックは従来より周知の事項である。
　したがって、引用例１記載の発明における三種類の凸ブロックのうちのフラット区域を有するものに替えて、二種類の装飾模様を組み合わせたブロックを採用することは、当業者が引用例１記載の発明に周知技術を適用することにより容易になし得ることである。
［相違点２の検討］
　引用例２には、凸部領域単位（本願発明の「凸ブロック」に相当。以下同様）の表面に装飾模様（筋状凹部模様）を形設するが、その装飾模様（筋状凹部模様）を該凸部領域（凸ブロック）の下部稜線に対し、一凸部領域単位Ａ（凸ブロック）に向かって右側から左下がりとする左斜縞（右上り斜め方向に形成されているブロック）を、他の凸部領域単位Ｂ（凸ブロック）には同様に向かって左側から右下がりとする右斜縞（左上り斜め方向に形成されているブロック）を、凸部領域単位Ｃ（凸ブロック）には平行縞、また他の凸部領域単位Ｄ（凸ブロック）には垂直縞等を基本とする方向性を有する略平行な凹凸縞模様を各々形設し、この化粧表面に、その略平行な凹凸縞模様の方向が少なくとも４方向の凸部領域（凸ブロック）がランダムに縦横に配列された点が開示されている。
　したがって、上記相違点２に係る本願発明の構成とすることは、当業者が引用例１記載の発明の複数種類のブロックの配列態様として、引用例２記載の配列態様を適用することにより容易になし得ることである。
　また、本願発明によってもたらされる作用効果も、引用例１及び２記載の発明並びに周知技術に基づき、当業者であれば、容易に予測しうる程度のものであって格別のものとはいえない。
　
３．むすび
　したがって、本願発明は、本願出願前に頒布された刊行物である引用例１、２記載の発明並びに周知技術に基づいて当業者が容易に発明をすることができたものであるから、特許法第２９条第２項の規定により特許を受けることができず、本願は拒絶すべきものである。
　よって、結論のとおり、審決する。